(57)【要約】【課題】使用者の癖等に応じたウェートバランスを取ってゴルフクラブヘッドの重心位置を調整とすることができ、製造に簡単である上、もっと重心を下げるゴルフクラブヘッドを提供しようとすることをその目的とする。【解決手段】ボールに当たる瞬間の直前の姿勢を基準として、ボールを打撃する打撃面と、前記打撃面の左右両側から後ろの方へ互いに連接して一体になるように延びてなった後側面とを備えているゴルフクラブヘッドにおいて、前記後側面に、ウェートがそれに沿って前記打撃面の左右両側の方へと移動可能に取付けられている。なお、前記後側面に、アーク状の案内ロードが、その両端が前記打撃面の左右両側にそれぞれ近い２の箇所から突出して前記後側面と隙間を空け、前記２の箇所の間に延在しており、前記ウェートは、前記案内ロードに移動可能また係止可能に取付られている重心調整可能なゴルフクラブヘッドを提供する。【選択図】図１
0003127234.tif 000002
【実用新案登録請求の範囲】
【請求項１】
ボールに当たる瞬間の直前の姿勢を基準として、
ボールを打撃する打撃面と、
前記打撃面の左右両側から後ろの方へ互いに連接して一体になるように延びてなった後側面とを備えているゴルフクラブヘッドにおいて、
前記後側面に、ウェートがそれに沿って前記打撃面の左右両側の方へと移動可能に取付けられていることを特徴とする、重心調整可能なゴルフクラブヘッド。
【請求項２】
ボールに当たる瞬間の直前の姿勢を基準として、
前方にあってボールを打撃する打撃面と、
前記打撃面の左右両側から後方へ互いに連接して一体になる上、上下それぞれ開口になるように延びてなった後側面と、
前記上開口をカバーしたクラウンと、
前記下開口をカバーしたソールとを有するゴルフクラブヘッドにおいて、
前記後側面の前記ソールに近いところに、ウェートが前記後側面に沿って前記打撃面の左右両側の方へと移動可能に取付けられていることを特徴とする、重心調整可能なゴルフクラブヘッド。
【請求項３】
ボールに当たる瞬間の直前の姿勢を基準として、
前方にあってボールを打撃する打撃面と、
前記打撃面の左右両側から後方へ互いに連接して一体になる上、上下それぞれ開口になるように延びてなったアーク形の後側面と、
前記上開口をカバーしたクラウンと、
前記下開口をカバーしたソールとを有するゴルフクラブヘッドにおいて、
前記後側面の前記ソールに近いところに、ウェートが前記後側面のアーク面に沿って前記打撃面の左右両側の方へと移動可能に取付けられていることを特徴とする、重心調整可能なゴルフクラブヘッド。
【請求項４】
前記アーク状の後側面に、アーク状の案内ロードが、その両端が前記打撃面の左右両側にそれぞれ近い２の箇所から突出して前記後側面と隙間を空け、前記２の箇所の間に延在しており、
前記ウェートは複数あって、前記案内ロードに移動可能また係止可能に取付られていることを特徴とする、請求項３に記載の重心調整可能なゴルフクラブヘッド。
【請求項５】
前記後側面の前記ソールに近いところに凹所が前記打撃面の左右両側の方へと延在しており、
前記案内ロードは、前記凹所内に設置されていることを特徴とする請求項４に記載の重心調整が可能なゴルフクラブヘッド。
【請求項６】
前記案内ロードは、複数あることを特徴とする請求項４または５に記載の重心調整可能なゴルフクラブヘッド。
【請求項７】
前記ウェートは、閉環状のものであることを特徴とする請求項４または５に記載の重心調整可能なゴルフクラブヘッド。
【請求項８】
前記ウェートは、開環状のものであって、前記案内ロードから取外し可能になっていることを特徴とする請求項４または５に記載の重心調整可能なゴルフクラブヘッド。
【考案の詳細な説明】
【技術分野】
【０００１】
本考案は、ウェートの固定位置を変えることにより、使用者の癖に合わせて重心位置を調整することが可能なゴルフクラブヘッドに関するものである。
【背景技術】
【０００２】
従来、比較的高い重心を持つゴルフクラブヘッドが使用されれば、打ち出し角及び打たれたゴルフボールの飛翔軌道に悪影響を与える。したがって、多くのクラブヘッドは、クラブヘッドの重心を下げるために所定の位置でヘッドに鋳込まれている一体になったウェートを有する。
【０００３】
しかし、ゴルフを行なう人は、スイングにある種の癖をもっている場合が多く、ある人は、ボールがスライスしたり、ある人は、ボールがフックしてしまうという特徴がある。このような打球の癖は、その人にあったゴルフクラブがいつも提供されれば、それに慣れることはできるものの、規格品の中から自分にあった道具を見出すことは困難であるとともに、新たなゴルフクラブを購入した場合には、再びそれに慣れなければならない。これによって、クラブヘッドの重心を下げる以外、重心位置を調整可能とすることも必要である。
【０００４】
ところで、従来のゴルフクラブヘッドには重心が下げられているものもあるが、あのようなものは、ゴルフクラブヘッド本体の内部にウェートが入れてあって固定式になったので、重心の更なる調整が不可能であり、製造にも困難である上、重心の下げられることに限りがある。
【考案の開示】
【考案が解決しようとする課題】
【０００５】
したがって、本考案は、このような実状に鑑み、使用者の技術、体力、スイングの癖等に応じたウェートバランスを取ってゴルフクラブヘッドの重心位置を調整することができる上、製造に簡単であるゴルフクラブヘッドを提供しようとすることをその第１の目的とする。
【０００６】
また、従来より、もっと重心を下げるゴルフクラブヘッドを提供しようとすることをその第２の目的とする。
【課題を解決するための手段】
【０００７】
上記目的を達成するために、本考案は、ボールに当たる瞬間の直前の姿勢を基準として、ボールを打撃する打撃面と、前記打撃面の左右両側から後ろの方へ互いに連接して一体になるように延びてなった後側面とを備えているゴルフクラブヘッドにおいて、前記後側面に、ウェートがそれに沿って前記打撃面の左右両側の方へと移動可能に取付けられている重心調整可能なゴルフクラブヘッドを提供する。
【０００８】
なお、前記後側面に、アーク状の案内ロードが、その両端が前記打撃面の左右両側にそれぞれ近い２の箇所から突出して前記後側面と隙間を空け、前記２の箇所の間に延在しており、前記ウェートは、前記案内ロードに移動可能また係止可能に取付られている重心調整可能なゴルフクラブヘッドを提供する。
【考案の効果】
【０００９】
前記構成によるゴルフクラブヘッドは、ウェートが後側面に沿って打撃面の左右両側の方へと移動可能に取付けられているので、ウェートの移動により重心が外から容易に調整可能な上、製造にも簡単である。
【００１０】
また、前記ウェートを保持しているアーク状の案内ロードは、ゴルフクラブヘッドの後側面から後ろへ突出するようになっているので、前記ウェートの位置をやや後ろに移し、重心をもっと下げることができる。
【考案を実施するための最良の形態】
【００１１】
以下、本考案に関する重心調整可能なゴルフクラブヘッドの好適な実施形態を、図面を参照しながら説明する。なお、図中、似ている部分には、同一の参照符号を付する。
まず、図１、図２及び図３を参照しながら本考案の第１の実施形態の重心調整可能なゴルフクラブヘッドを説明する。
【００１２】
図１に示すように、本実施形態の実施例１のゴルフクラブヘッド１は、ボールに当たる瞬間の直前の姿勢を基準として、前方にあってボールを打撃する打撃面１１と、打撃面１１の左右両側から後方へ互いに連接して一体になる上、上下それぞれ開口になるように延びてなったほぼアーク形の後側面１２と、前記上開口をカバーしたクラウン１３と、前記下開口をカバーしたソール１４とを有する。
【００１３】
また、後側面１２のソール１４に近いところに、アーク状の案内ロード２１が、その両端が打撃面１１の左右両側にそれぞれ近い２の箇所から突出して後側面１２と隙間を空け、前記２の箇所の間に延在している。このアーク状の案内ロード２１に、一つのウェート２２Ａが、後側面１２のアーク面に沿って打撃面１１の左右両側の方へと移動可能また係止可能に取付けられている。本実施例１の案内ロード２１は、ゴルフクラブヘッドの外にあるので、製造に簡単であり、また、後ろに突出しているので、前記ウェートの位置をやや後ろに移し、ゴルフクラブヘッド全体の重心を従来のものより下げている。そしてまた、本実施例１のウェート２２Ａは、閉環状のものであって案内ロード２１から簡単に取外せないものの、その移動によりゴルフクラブヘッドの重心を外から容易に調整可能である。
【００１４】
なお、本実施例では、案内ロード２１はアルミ合金からなったものであるが、他の金属材、例えばアルミ、ステンレス鋼など、または金属材でないもの、例えば炭素繊維からなっても良い。
【００１５】
次に、図２を参照しながら本実施形態の実施例２の重心調整可能なゴルフクラブヘッドを説明する。本実施例２におけるウェート２２Ｂは、一つだけであるが、開環状のものであって、案内ロード２１へまた案内ロード２１から簡単に取付け取外し可能になっているので、その移動ばかりでなくその取付け取外しによってもゴルフクラブヘッドの重心を調整することができる。
本実施形態の実施例２のゴルフクラブヘッドの他の構造は、前記実施例１のと同じなので、ここでその説明を省く。
【００１６】
そして、図３を参照しながら本実施形態の実施例３の重心調整可能なゴルフクラブヘッドを説明する。本実施例３におけるウェート２２Ｃは複数の開環状のものであるので、その移動ばかりでなくその増減によってもゴルフクラブヘッドの重心を調整することができる。
本実施形態の実施例３のゴルフクラブヘッドの他の構造は、前記実施例１のと同じなので、ここでその説明を省く。
【００１７】
前記実施形態からみると、本考案のゴルフクラブヘッドは、前記ウェートを、ゴルフクラブヘッドの後側面から後ろへ突出させているので、前記ウェートの位置をやや後ろに移し、重心を従来のものより下げることができるが、その利用法はこの限りではなく、重心を本来のまま維持しても可能である。その例を以下のように挙げる。
【００１８】
また、図４、図５及び図６を参照しながら本考案の第２の実施形態の重心調整可能なゴルフクラブヘッドを説明する。
図４に示すように、本実施形態の実施例４のゴルフクラブヘッド１は、後側面１２のソール１４に近いところに凹所１２１が打撃面１１の左右両側の方へと延在しており、案内ロード２１は、凹所１２１内に設置されている。この実施形態の他の構造は第１の実施形態の実施例１のゴルフクラブヘッド１とまったく同じであるので、その説明を省く。
【００１９】
図示のように、この実施例４におけるウェート２２Ｄは複数の開環状のものであるが、すべて凹所１２１内にあって外に突出していず、ゴルフクラブヘッドの重心を従来のものの範囲内に保持している。
【００２０】
そして、図５を参照しながら本実施形態の実施例５の重心調整可能なゴルフクラブヘッドを説明する。本実施例５におけるウェート２２Ｅは複数の閉環状のものであるが、それらが位置している凹所１２１は実施例４のと同じく、それらをすべて凹所１２１内に収容している。
本実施形態の実施例５のゴルフクラブヘッドの他の構造は、前記実施例４のと同じなので、ここでその説明を省く。
【００２１】
また、図６を参照しながら本実施形態の実施例６の重心調整可能なゴルフクラブヘッドを説明する。本実施例６における凹所１２１は、実施例４及び実施例５となんら違いがないが、凹所１２１内に複数の案内ロード２１１、２１１が設置されている。
本実施形態の実施例６のゴルフクラブヘッドの他の構造は、前記実施例４のと同じなので、ここでその説明を省く。
【００２２】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２３】
如上のように、本考案は、ゴルフクラブヘッド本体の外部にウェートが取付られているので、重心位置を調整とすることができる上、製造に簡単である。
また、重心の下げられることは、いっそう良くなったので、使用に合う場合さらに広くなった。
【図面の簡単な説明】
【００２４】
【図１】本考案の重心調整可能なゴルフクラブヘッドの実施例１の斜視図。
【図２】本考案の重心調整可能なゴルフクラブヘッドの実施例２の側面図。
【図３】本考案の重心調整可能なゴルフクラブヘッドの実施例３の側面図。
【図４】本考案の重心調整可能なゴルフクラブヘッドの実施例４の側面図。
【図５】本考案の重心調整可能なゴルフクラブヘッドの実施例５の背面図。
【図６】本考案の重心調整可能なゴルフクラブヘッドの実施例６の側面図。
【符号の説明】
【００２５】
１  ゴルフクラブヘッド
１１  打撃面
１２  後側面
１２１  凹所
１３  クラウン
１４  ソール
２１、２１１  案内ロード
２２Ａ、２２Ｂ、２２Ｃ、２２Ｄ、２２Ｅ、２２Ｆ  ウェート
【図１】
0003127234.tif 000003
【図２】
0003127234.tif 000004
【図３】
0003127234.tif 000005
【図４】
0003127234.tif 000006
【図５】
0003127234.tif 000007
【図６】
0003127234.tif 000008